(57)【要約】  【課題】  筐体１０の側面の保持部３８を手で持つようにしたビデオカメラにおいて、手の大きさや指の長さにかかわらず、とくにズーム釦等の操作釦２７を最も操作し易い位置に配する。  【解決手段】  筐体１０の上部であって後側の部分に形成されている凹部８９に摺動可能に取付けられたブラケット９０にピン９１を介してビューファインダ１２を回動自在に取付けるとともに、このブラケット９０の側面の凹部９２の段部９３と係合する爪９６を有するアーム９５が両側にに延出されたフレーム９４によってズーム釦２７を保持するフレーム９７を移動可能に取付けるとともに、フレーム９７の被保持部９８をアーム９５に摩擦係合させ、調整位置を機械的に記憶させる。【選択図】  図９
2005303548.tif 000002
【特許請求の範囲】
【請求項１】
筐体の前方に光学系を備えるとともに、前記筐体の後方にビューファインダを有する撮像装置において、
前記ビューファインダを摺動可能に取付けて後方に引出し可能にするとともに、前記ビューファインダの前方に操作釦を配し、しかも該操作釦を前後方向に位置調整可能にしたことを特徴とする撮像装置。
【請求項２】
前記操作釦が前記ビューファインダを後方に引出したときに生ずる筐体の凹部内において前後方向に位置調整可能であることを特徴とする請求項１に記載の撮像装置。
【請求項３】
前記操作釦が画枠調整用のズーム釦であることを特徴とする請求項１に記載の撮像装置。
【請求項４】
前記ビューファインダの引出し動作に連動して移動される移動フレームを有し、該移動フレーム上に前記操作釦が調整自在に取付けられるとともに、前記操作釦は係止手段によって調整位置で前記移動フレーム上に係止されることを特徴とする請求項１または請求項２に記載の撮像装置。
【請求項５】
前記係止手段が前記移動フレームに対する前記操作釦の被保持部の摩擦係合であることを特徴とする請求項４に記載の撮像装置。
【請求項６】
前記ビューファインダが筐体の凹部内を摺動するブラケットによって回動自在に支持されるとともに、前記ブラケットの側部の被係止部に係止される爪を先端部に有するアームを前記移動フレームに延出して設け、前記アームによって前記操作釦のフレームの被保持部を保持させるとともに、前記被保持部と前記アームとの摩擦係合によって前記アーム上における前記操作釦の調整位置を保持することを特徴とする請求項５に記載の撮像装置。
【発明の詳細な説明】
【技術分野】
【０００１】
本発明は撮像装置に係り、とくに筐体の前方に光学系を備えるとともに、筐体の後方にファインダを有する撮像装置に関する。
【背景技術】
【０００２】
例えば特開平５−５６３１９号公報には、ＶＴＲ本体に、このＶＴＲ本体を把持するグリップ部を有したカメラ一体型ＶＴＲにおいて、グリップ部の一部を構成する蓋体の上面の人指し指が当る位置に、一対のズーム操作釦を配設するとともに、この一対のズーム操作釦の間に録画釦を配設し、ビデオカメラにおいて、録画釦を人指し指で簡単に操作できるようにするとともに、残りの指で、そのグリップ部を確実に掴むことができるようにしたビデオカメラが開示されている。
【０００３】
このようなビデオカメラによれば、録画釦の前後に配されているズーム操作釦の操作によって、ズーム操作、すなわち画枠設定を行なうことが可能になる。ここでこれらの録画釦やズーム操作釦は、筐体の上面であって、グリップベルトの内側に手を入れてこの筐体を保持したときに最も操作し易い位置に配設される。
【０００４】
ところが一般に手の大きさや指の長さは、個人差が大きく、このために標準的な位置に配された録画釦やズーム操作釦が必ずしも総ての人にとって操作し易い位置になるとは限らない。従ってこのようなＶＴＲは、総ての人が最も操作し易い位置に操作釦を配することができない欠点がある。
【特許文献１】特開平５−５６３１９号公報
【特許文献２】特開２００２−４０５３４号公報
【発明の開示】
【発明が解決しようとする課題】
【０００５】
本願発明の課題は、操作し易い位置に操作釦を移動できるようにした撮像装置を提供することである。
【０００６】
本願発明の別の課題は、極端に手が大きい人や指の長い人であっても、最適な位置に移動調整された操作釦によって操作可能にした撮像装置を提供することである。
【０００７】
本願発明のさらに別の課題は、手が小さい人や指が短い人であっても、操作し易い位置に操作釦が配されるようにした撮像装置を提供することである。
【０００８】
本願発明の別の課題は、最適な位置に位置調整された操作釦の位置を記憶保持しておき、次に使用する際に再びその位置に自動的に移動調整されるようにした撮像装置を提供することである。
【０００９】
本願発明のさらに別の課題は、画枠設定用の操作釦を最も操作し易い位置に位置調整して配置できるようにした撮像装置を提供することである。
【００１０】
本願発明の上記の課題および別の課題は、以下に述べる本願発明の技術思想および実施の形態によって明らかにされる。
【課題を解決するための手段】
【００１１】
本願の主要な発明は、筐体の前方に光学系を備えるとともに、前記筐体の後方にビューファインダを有する撮像装置において、
前記ビューファインダを摺動可能に取付けて後方に引出し可能にするとともに、前記ビューファインダの前方に操作釦を配し、しかも該操作釦を前後方向に位置調整可能にしたことを特徴とする撮像装置に関するものである。
【００１２】
ここで前記操作釦が前記ビューファインダを後方に引出したときに生ずる筐体の凹部内において前後方向に位置調整可能であってよい。また前記操作釦が画枠調整用のズーム釦であってよい。また前記ビューファインダの引出し動作に連動して移動される移動フレームを有し、該移動フレーム上に前記操作釦が調整自在に取付けられるとともに、前記操作釦は係止手段によって調整位置で前記移動フレーム上に係止されてよい。また前記係止手段が前記移動フレームに対する前記操作釦の被保持部の摩擦係合であってよい。また前記ビューファインダが筐体の凹部内を摺動するブラケットによって回動自在に支持されるとともに、前記ブラケットの側部の被係止部に係止される爪を先端部に有するアームを前記移動フレームに延出して設け、前記アームによって前記操作釦のフレームの被保持部を保持させるとともに、前記被保持部と前記アームとの摩擦係合によって前記アーム上における前記操作釦の調整位置を保持してよい。
【００１３】
本願発明の好ましい態様は、筐体の上面にズーム釦等の操作釦とスライド可能に構成されたビューファインダとを有する撮像装置において、ビューファインダを後方向にスライドさせたときに、操作釦も移動可能にし、一旦操作釦を所定の位置としたときに、その後ビューファインダのスライド操作に伴って、操作釦も自動的にその所定の位置に移動するようにしたものである。従って操作釦を操作する人の最も操作し易い位置に配置することができるとともに、一旦格納されたビューファインダを再び引出すと、操作釦が上記の最も操作し易い位置に自動的に移動される。
【発明の効果】
【００１４】
本願の主要な発明は、筐体の前方に光学系を備えるとともに、筐体の後方にビューファインダを有する撮像装置において、ビューファインダを摺動可能に取付けて後方に引出し可能にするとともに、ビューファインダの前方に操作釦を配し、しかも該操作釦を前後方向に位置調整可能にしたものである。
【００１５】
従ってこのような撮像装置によれば、操作釦を前後方向に位置調整可能にすることによって、この操作釦を最も操作し易い位置に移動させることができる。従って手の大きさや指の長さ等に応じて、操作釦を前後方向に位置調整することによって、操作し易い位置で操作釦を操作できるようになる。
【発明を実施するための最良の形態】
【００１６】
以下本願発明を図示の実施の形態によって説明する。本実施の形態のビデオカメラは図１および図２に示すように、ほぼ直方体状をなす筐体１０を備えている。筐体１０はその前端側に光学系１１を取付けるとともに、その背面側であって上部にはビューファインダ１２が取付けられる。また筐体１０の左側の側面には液晶表示パネル１３が図２に示すように開閉自在に取付けられる。
【００１７】
液晶表示パネル１３を図２に示すように開くと、その先端側の内面にはバックライト釦１６と録画釦１７とが配される。また上記液晶表示パネル１３を開いたときに露出する筐体１０の外側部にはスピーカ１８が取付けられる。また筐体１０の背面側には半導体メモリ挿入口１９が形成される。また筐体１０の背面側にはこのビデオカメラを駆動するための電源を構成するバッテリパック２０が取付けられる。またバッテリパック２０の左下部にはこのバッテリパック２０の容量の残量を示すチャージ量表示部２１が設けられている。
【００１８】
また筐体１０の上部であって光学系１１の上側には、図１に示すようにフラッシュを構成するストロボ２４が取付けられる。またこのストロボ２４の後側にはアクセサリシュー２５が取付けられる。アクセサリシュー２５は不使用時にシューカバー２６によって覆われる。またアクセサリシュー２５の後側にズーム釦２７が配され、このズーム釦２７によって光学系１１をズーム動作をさせるようにしている。また筐体１０の光学系１１の下側にはマイクロホン２８が取付けられる。
【００１９】
次に液晶表示パネル１３が取付けられる側面とは反対側の側面には、図３に示すように電源スイッチ３２が取付けられる。そしてこの電源スイッチ３２の斜め下方に録画釦３３が配される。また電源スイッチ３２を備える側面であって前方側の部分には複数のジャック３４が配設されるとともに、ジャック３４はジャックカバー３５によって覆われるようになっている。また上記ジャック３４が設けられる領域の後側にはグリップベルト３６が取付けられる。
【００２０】
上記グリップベルト３６が取付けられる筐体１０の外側部が側方に膨出してグリップを構成する保持部３８になっている。この保持部３８はその下端側が膨出部３９になっている。すなわち保持部３８の下端側の部分が側方に突出して膨出部３９を構成し、グリップの一部を構成している。上記保持部３８の膨出部３９の下側が開閉蓋４０から構成される。開閉蓋４０は図５および図６に示すように、開閉自在であってかつ後述するようにテープカセット４３の着脱を行なうための開口を形成するようになっている。
【００２１】
そしてこの開閉蓋４０の上縁が図３に示すように側方に突出して膨出部３９に連続している。開閉蓋４０を閉じると図３に示すように、この開閉蓋４０の上側の膨出部が保持部３８の下端の膨出部３９とほぼ連続し、これによってグリップ３８が形成される。なお開閉蓋４０の下面には図４に示すようにエジェクト釦４２が設けられ、このエジェクト釦４２を摺動操作することによって、開閉蓋４０のロックが解除されてこの開閉蓋４０が図５および図６に示すように開かれるようになっている。
【００２２】
次にこのビデオカメラの光学系１１について説明すると、光学系１１は図１に示すようにほぼ円筒状をなす鏡筒を備え、この鏡筒内にとくに図７に示すように対物レンズを構成するレンズ群５１、画枠設定用レンズ群５２、補正用レンズ群５３、フォーカス用レンズ群５４をその内部に光軸方向に沿って配置した構造になっている。とくに本実施の形態は、移動可能な画枠設定用レンズ群５２の移動調整のためのズーム釦２７の取付けの改善に関するものである。
【００２３】
図７は本実施の形態の撮像装置の光学系を原理的に示したものである。なおこの実施の形態はビデオカメラを備えるレンズ装置に関するものであって、ズームレンズと称される画枠調整が可能なレンズが用いられ、複数配置されたレンズ群５１、５２、５３、５４の内の１つのレンズ群５２が画枠設定用レンズとして用いられる。この画枠設定用レンズ群５２は、鏡筒内において光軸方向に移動可能なレンズ群であり、サーボモータ６３ａにより駆動される。またレンズ群５４は、フォーカス調整用のレンズ群であり、このフォーカス調整用レンズ群５４についても、鏡筒内で光軸方向に移動可能なレンズ群であって、サーボモータ６３ｂまたはステッピングモータにより駆動される。ここで各サーボモータ６３ａ、６３ｂはリニアモータから構成され、図８に示すサーボ回路８７から駆動信号が供給される。
【００２４】
各サーボモータ６３ａ、６３ｂにより駆動されるレンズ群５２、５４の位置は、ＭＲ素子を使用したＭＲセンサ７３、７５で磁気的に検出しており、この検出情報をサーボ回路８７に図８に示すようにフィードバックしている。
【００２５】
このレンズ装置１１によって光学系が結像する面には撮像素子８１が配されている。この撮像素子８１で光学像を電気的な撮像信号に変換する。撮像素子８１として、ＣＣＤイメージャが使用される。撮像素子８１から読出された撮像信号は、図８のＡ／Ｄ変換器８２でデジタル信号に変換された後、撮像信号処理回路８３に供給され、適正な映像信号とする処理が行なわれ、この処理が行なわれた映像信号が撮像装置から出力される。またはこの撮像装置が映像信号記録部を備えたビデオカメラであって、得られた映像信号がその記録部のテープカセット４３で記録される。
【００２６】
ここで撮像信号処理回路８３内には、撮像信号の所定の成分、例えば輝度の高域成分を検波する検波回路８４を備え、この検波回路８４の検出信号を、この撮像装置の撮像動作を制御する中央制御ユニット（ＣＰＵ）８５に供給する。中央制御ユニット８５では、この検出信号のレベルに基いて、フォーカスの状態、すなわち合焦状態を判定し、その判定した合焦状態がジャストフォーカス状態となるように自動フォーカス制御を行なう。
【００２７】
このフォーカス制御は、中央制御ユニット８５からサーボ回路３７にフォーカス制御用レンズ群５４の目標位置情報を供給し、サーボ回路８７でその目標位置にフォーカス調整用レンズ群５４を駆動するためのサーボ制御処理を行なってモータ６３ｂの駆動信号を生成させ、この駆動信号をサーボモータ６３ｂに供給し、フォーカス調整用レンズ群５４の可動位置を調整することにより行なう。
【００２８】
また中央制御ユニット８５には、ズーム釦２７の操作情報が供給されるようになっており、このズーム釦２７の操作情報に基いて、画枠設定用レンズ５２の目標位置情報をサーボ回路８７に供給し、サーボ回路８７でその目標位置に画枠設定用レンズ群５２を駆動するためのサーボ制御処理を行なってモータ６３ａの駆動信号を生成させ、その駆動信号をサーボモータ６３ａに供給し、画枠設定用レンズ群５２の可動位置を調整するようにしている。
【００２９】
この場合にズーム釦２７の操作状態により、サーボモータ６３ａによる画枠設定用レンズ群５２の駆動速度を可変できる構成にしており、最も高速で駆動した際には、ワイド端（すなわち最も焦点距離が短い状態）からテレ端（すなわち最も焦点距離が長い状態）に画枠設定用レンズ群５２が移動する時間が、１秒未満の非常に高速駆動できるようにしている。
【００３０】
なおズームレンズ５２はフォーカスを合わせる位置が同じであっても、画枠（焦点距離）が変化するときに、フォーカス調整用レンズ群５４の可動位置についても変化させないと、ジャストフォーカス状態を維持できない。この焦点距離とジャストフォーカス状態のフォーカス調整用レンズ群５４の位置との対応関係については、中央制御ユニット８５に接続されたメモリ８６に予め設定しておく。そして焦点距離が変化したときに、中央制御ユニット８５はメモリ８６の記憶情報を読出して、サーボ回路８７にフォーカス制御用のサーボ制御信号を供給し、フォーカス調整用レンズ群５４の可動位置を調整する。
【００３１】
この場合にサーボモータ６３ｂによるフォーカス調整用レンズ群５４の駆動についても、非常に高速駆動できるようにしてあり、例えば上述したように画枠設定用レンズ群５２を高速で可動させたときに、その移動に追随したフォーカス調整用レンズ群５４の可動位置を補正してジャストフォーカス状態を維持する処理についても、高速で行なえるようにしている。
【００３２】
次にレンズ群５２、５４を光軸方向に可動させる機構の例を図７によって説明する。図７はレンズ装置１０の内部の構造を示しており、複数のレンズ群５１、５２、５３、５４と撮像素子８１が光軸に沿って配列されており、レンズ群５１、５３については固定されており、レンズ群５２、５４については光軸方向に可動できる構造としている。なお図７において、レンズ群５１〜５４による光学系は簡略化されて示してあり、実際にはそれぞれの群は複数枚のレンズで構成される場合が多い。また可動レンズ群の位置についても、図７の例に限定されない。
【００３３】
レンズ群５２、５４を可動させるための構成としては図７に示すように、光軸にほぼ平行に２本の軸６１、６２が上下に配置されており、これら２本の軸６１、６２に各レンズ群５２、５４の保持枠６６、６９が支持されるようにしている。すなわち画枠設定用レンズ群５２については、保持枠６６に設けられた軸支持部６５ａ、６５ｂで２本の軸６１、６２に支持させる構成としている。そして光軸方向に延びたマグネットとヨークとで構成される磁気回路６３が軸６１に沿って配置してある。このマグネットに対向して可動側にコイル６４が配置されており、コイル６４にサーボ回路８７から駆動信号を印加したときに、その電圧によって光軸方向の推進力（ローレンツ力）が得られる。ここで電圧値およびその極性をサーボ回路８７がコントロールすることで、適正な向きと大きさの推進力が得られ、所望の方向および速度でレンズ群５２が移動する。このレンズ群５２の可動範囲は、図７におけるＬ１  として示されている。
【００３４】
レンズ群５２の保持枠６６には所定のパターンで着磁された棒状のマグネット７２が取付けられており、このマグネット７２と所定のギャップを介して固定側には、２相のＭＲ素子を使用したＭＲセンサ７３が配置されており、ＭＲセンサ７３の出力からサーボ回路８７がレンズ群５２の可動位置を判定する。
【００３５】
フォーカス調整用レンズ群５４を可動させるための構成についても同様の構成であって、図７に示すように保持枠６９に取付けられた軸支持部６８ａ、６８ｂで２本の支軸６１、６２に支持され、磁気回路６３のマグネットに対向したコイル６７にサーボ回路８７から駆動信号を印加したときに、レンズ群５４が移動する構成にしている。このレンズ群５４の可動範囲は、図３においてＬ２  として示されている。
【００３６】
レンズ群５４の保持枠６９にも、所定のパターンで着磁させた棒状マグネット７４が取付けられており、このマグネットと所定のギャップを介した固定側には、２相のＭＲ素子を使用したＭＲセンサ７５が配置してある。そしてＭＲセンサ７５の出力からサーボ回路８７がレンズ群５４の可動位置を判定する。
【００３７】
次に撮像装置で画枠設定用レンズ群５２およびフォーカス調整用レンズ群５４の可動位置を変化させる場合の処理について説明する。この可動範囲を変化させる際には、図８に示す中央制御ユニット８５からサーボ回路８７にそれぞれのレンズ群５２、５４の目標位置情報が与えられ、基本的にはこの撮像装置で撮像を行なう周期である１フィールド（５０Ｈｚまたは６０Ｈｚ）の周期で、その目標位置に移動させるようにすればよい。ここで本実施の形態の撮像装置の場合には、中央制御ユニット８５から得られる目標位置を、サーボ回路８７内で演算で内挿して、２０〜３０ＫＨｚ程度の周期でそれぞれのレンズ群５２、５４の目標位置情報が得られるようにし、その内挿された周期の目標値と現在位置との差がなくなるように電圧を各モータ６３ａ、６３ｂに印加してサーボ制御を行なうようにしている。
【００３８】
次に筐体１０の上部であって後方側に設けられているビューファインダ１２とズーム釦から成る操作釦２７の摺動機構の構成を図９〜図１２によって説明する。筐体１０の上部であってビューファインダ１２の取付け位置には凹部８９が形成されるとともに、この凹部８９内にブラケット９０が配されている。ブラケット９０はピン９１によって上記ビューファインダ１２を回動自在に支持しており、ピン９１を中心としてビューファインダ１２を上方に回動させることによって、このビューファインダ１２を上方側に移動させることが可能になる（図１３参照）。
【００３９】
上記ブラケット９０の両側面にはそれぞれ凹部９２が形成されるとともに、凹部９２の後側の部分が段部９３になっている。そして段部９３には、フレーム９４の両側に延出されたアーム９５の先端側の爪９６が係止されるようになっている。そして上記アーム９５によってコ字状のフレーム９７が取付けられる。すなわちフレーム９７はその両側端にそれぞれ被保持部９８を備え、これらの被保持部９８がアーム９５を挟着保持するようにしている。なおアーム９５と被保持部９８とは両者の間のクリアランスを小さくして摩擦係合が生ずるようにし、一旦位置調整した後は、その位置で位置保持されるようにし、フレーム９７が自由に移動しないようにしている。
【００４０】
ビューファインダ１２は図９および図１０に示すように、ブラケット９０とピン９１を介して連結されているために、ビューファインダ１２をブラケット９０とともに後方に引出すことが可能になる。そしてブラケット９０をビューファインダ１２とともに後方に移動させると、その側部の凹部９２の段部９３がフレーム９４のアーム９５の爪９６と係合されているために、フレーム９４もブラケット９０に引張られて後方に移動する。従って図９および図１０に示すようにビューファインダ１２およびブラケット９０が引出され、これに伴ってフレーム９４も後方に引出された状態において、フレーム９４に対して操作釦２７を保持するフレーム９７をアーム９５の長さ方向の所定の位置で位置保持する。すなわち操作釦２７が最も操作し易い位置になるように位置調整を行なう。
【００４１】
このような操作釦２７の位置調整によって、図１３に示すように、このビデオカメラのグリップを構成する筐体１０の保持部３８を手で持った状態において、例えばその人指し指の部分が操作釦２７と対応する位置に配されるために、操作釦２７の操作が非常に容易になる。従って画枠設定のズーム動作を円滑に行なうことが可能になる。このことは手の大きさや指の長さに応じて、操作釦２７の位置をその人の最適な位置に位置調整できることを意味する。
【００４２】
ビューファインダ１２を図１１および図１２に示すように元の位置へ収納すると、これに伴ってブラケット９０が一対のアーム９５間を前方に移動することになる。ところがアーム９５の先端の爪９６は上記ブラケット９０の両側の凹部９２内を相対的に移動するだけであって、アーム９５上に操作釦２７を保持するフレーム９７を位置保持したままの状態を維持する。しかもフレーム９７の被保持部９８とアーム９５との間には摩擦係合力が作用しているために、アーム９５に対してフレーム９７が不測に移動することがない。従って再びビューファインダ１２を図９および図１０に示すように後方に引出すと、操作釦２７は前回設定した最も操作し易い位置に移動される。すなわちアーム９５とブラケット９０との間の空運動機構によって、操作釦２７を有するフレーム９７の位置が機械的に記憶されることになり、これによってビューファインダ１２を引出す度に操作釦２７の位置調整を行なう必要がなくなる。従って極めて操作性に優れた操作釦２７を有するビデオカメラが提供できる。
【００４３】
以上本願発明を図示の実施の形態によって説明したが、本願発明は上記実施の形態によって限定されることなく、本願発明の技術的思想の範囲内において各種の変更が可能である。例えば上記実施の形態はビデオカメラに関するものであるが、本願発明はそれ以外のデジタルスチルカメラ、カメラ付き携帯電話、ＰＤＡ等にも適用することが可能になる。また上記実施の形態はズーム釦２７の位置調整に関するものであるが、本願発明はその他各種の操作釦に適用可能である。また操作釦２７の位置も必ずしも筐体１０の上面に限られることなく、側面等の別の位置に配置することも可能である。
【産業上の利用可能性】
【００４４】
本願発明はビデオカメラ等の映像の取込みを行なう装置に広く適用可能である。
【図面の簡単な説明】
【００４５】
【図１】ビデオカメラの前方からの外観斜視図である。
【図２】同ビデオカメラの液晶表示パネルを開いた状態の外観斜視図である。
【図３】同ビデオカメラの反対側の側面を示す外観斜視図である。
【図４】同ビデオカメラの底面側の部分から見た外観斜視図である。
【図５】同ビデオカメラのカセットの装着動作を示す外観斜視図である。
【図６】同ビデオカメラの開閉蓋の閉鎖動作を示す外観斜視図である。
【図７】同ビデオカメラの光学系の配置を示す原理図である。
【図８】フォーカス動作およびズーム動作のための回路構成を示すブロック図である。
【図９】ビューファインダと操作釦の摺動機構の要部斜視図である。
【図１０】同要部平面図である。
【図１１】ビューファインダを収納した状態のビューファインダと操作釦の要部斜視図である。
【図１２】同要部平面図である。
【図１３】操作釦の操作の動作を示すビデオカメラの側面図である。
【図１４】操作釦の移動動作を示すビデオカメラの平面図である。
【符号の説明】
【００４６】
１０‥‥筐体、１１‥‥光学系、１２‥‥ファインダ、１３‥‥液晶表示パネル、１６‥‥バックライト釦、１７‥‥録画釦、１８‥‥スピーカ、１９‥‥半導体メモリ挿入口、２０‥‥バッテリパック、２１‥‥チャージ量表示部、２４‥‥ストロボ（フラッシュ）、２５‥‥アクセサリシュー、２６‥‥シューカバー、２７‥‥ズーム釦、２８‥‥マイクロホン、３２‥‥電源スイッチ、３３‥‥録画釦、３４‥‥ジャック、３５‥‥ジャックカバー、３６‥‥グリップベルト、３８‥‥保持部（グリップ）、３９‥‥膨出部、４０‥‥開閉蓋、４２‥‥エジェクト釦、４３‥‥テープカセット、５１‥‥レンズ群（対物レンズ）、５２‥‥レンズ群（画枠設定用）、５３‥‥レンズ群、５４‥‥レンズ群（フォーカス用）、６０‥‥レンズ装置、６１、６２‥‥支軸、６３‥‥磁気回路、６３ａ、６３ｂ‥‥サーボモータ、６４‥‥可動コイル、６５ａ、６５ｂ‥‥軸支持部、６６‥‥保持枠、６７‥‥可動コイル、６８ａ、６８ｂ‥‥軸支持部、６９‥‥保持枠、７２‥‥マグネット、７３‥‥ＭＲセンサ（画枠設定用）、７４‥‥マグネット、７５‥‥ＭＲセンサ（フォーカス用）、８１‥‥撮像素子、８２‥‥Ａ／Ｄ変換器、８３‥‥撮像信号処理回路、８４‥‥検波回路、８５‥‥中央制御ユニット（ＣＰＵ）、８６‥‥メモリ、８７‥‥サーボ回路、８９‥‥凹部、９０‥‥ブラケット、９１‥‥ピン、９２‥‥凹部、９３‥‥段部、９４‥‥移動フレーム、９５‥‥アーム、９６‥‥爪、９７‥‥フレーム、９８‥‥被保持部
【図１】
2005303548.tif 000003
【図２】
2005303548.tif 000004
【図３】
2005303548.tif 000005
【図４】
2005303548.tif 000006
【図５】
2005303548.tif 000007
【図６】
2005303548.tif 000008
【図７】
2005303548.tif 000009
【図８】
2005303548.tif 000010
【図９】
2005303548.tif 000011
【図１０】
2005303548.tif 000012
【図１１】
2005303548.tif 000013
【図１２】
2005303548.tif 000014
【図１３】
2005303548.tif 000015
【図１４】
2005303548.tif 000016